(57)【要約】【課題】【解決手段】像振れ補正に対してユーザーの好みに応じたカスタム設定を可能とする。【解決手段】撮影光学系２１と、撮影光学系を含む装置の振れを検出する振れ検出手段３と、振れ検出手段３の検出結果に基づいて、撮影光学系の光軸を偏向することにより撮影光学系によって得られる撮影画像の振れを補正する振れ補正手段１と、振れ補正とは異なる撮影準備動作を行う撮影準備手段２２，２３と、撮影光学系を通過した光による記録媒体２への露光を許可するレリーズスイッチＳＷ２と、レリーズスイッチの閉成に先立って閉成する第１撮影準備スイッチＳＷ１と、レリーズスイッチの動作とは無関係に作動し第１準備スイッチとは別に設けられ撮影準備手段を起動可能な第２撮影準備スイッチＳＷ３と、振れ補正手段の起動を第２撮影準備スイッチＳＷ３で行うか否かを設定するカスタム設定手段３２とを有する。【選択図】　　　　図１
2004085790.tif 000002
【特許請求の範囲】
【請求項１】
撮影光学系と、
該撮影光学系を含む装置の振れを検出する振れ検出手段と、
該振れ検出手段の検出結果に基づいて、前記撮影光学系の光軸を偏向することにより前記撮影光学系によって得られる撮影画像の振れを補正する振れ補正手段と、
前記振れ補正とは異なる撮影準備動作を行う撮影準備手段と、
前記撮影光学系を通過した光による記録媒体への露光を許可するレリーズスイッチと、
前記レリーズスイッチの閉成に先立って閉成する第１撮影準備スイッチと、
前記レリーズスイッチの動作とは無関係に作動し前記第１準備スイッチとは別に設けられ前記撮影準備手段を起動可能な第２撮影準備スイッチと、
前記振れ補正手段の起動を前記第２撮影準備スイッチで行うか否かを設定するカスタム設定手段とを有することを特徴とする撮影装置。
【請求項２】
前記振れ補正手段の起動を前記第２撮影準備スイッチで行わないように設定されている場合は、前記振れ補正手段の起動を前記第１撮影準備スイッチまたは前記レリーズスイッチで行うことを特徴とする請求項１に記載の撮影装置。
【請求項３】
前記カスタム設定手段は、さらに前記撮影準備動作を前記第１および第２撮影準備スイッチの少なくともいずれか一方で行うか否かを切換可能に設定できることを特徴とする請求項１に記載の撮影装置。
【請求項４】
前記振れ検出手段は、前記第１および第２撮影準備スイッチのうち先に操作されたスイッチの操作に伴い起動することを特徴とする請求項１〜３のいずれかに記載の撮影装置。
【請求項５】
前記レリーズスイッチおよび前記第２撮影準備スイッチと無関係に動作する第３撮影準備スイッチを更に備え、
前記カスタム設定手段は、前記振れ補正手段の起動を、前記第２および第３撮影準備スイッチの少なくともいずれか一方で行うか否かを切換可能に設定することを特徴とする請求項１に記載の撮影装置。
【請求項６】
前記撮影準備動作は、オートフォーカス動作であることを特徴とする請求項１〜５のいずれかに記載の撮影装置。
【請求項７】
前記カスタム設定手段の設定内容を表示する表示手段を更に備えたことを特徴とする請求項１〜６のいずれかに記載の撮影装置。
【請求項８】
前記振れ検出手段は、前記第１〜第３撮影準備スイッチのうち最も先に操作されたスイッチの操作に伴い起動することを特徴とする請求項５に記載の撮影装置。
【発明の詳細な説明】
【０００１】
【発明の属する技術分野】
本発明は像振れ補正が可能なカメラに関し、特に像振れ補正装置の動作タイミングを含む動作のカスタマイズを可能としたものである。
【０００２】
【従来の技術】
カメラに設けられる像振れ補正装置は、カメラに加わる振動を角速度センサ等の振れセンサで検出し、その検出結果に基づいて所定の像振れ補正レンズを撮影光軸と直交する方向に駆動して振れを補正するものである。
写真等の振れは、手振れ等に起因するカメラの振動によって露光中に結像面（フィルム面）の像が動くことで発生する。カメラに加わる振動が検出できれば、その振動による結像面の像の動きを知ることができるので、結像面上の像の動きが止まるように補正レンズを動かすことで像振れを補正できる。この種の像振れ補正装置は、撮影準備動作を開始させるための半押しスイッチのオンに応答して作動する。
【０００３】
【発明が解決しようとする課題】
近年、カメラに搭載される機能の増加に従ってユーザーの要求も多様化してきており、従来のように操作方法が限られているカメラでは全てのユーザーの要求を満足することができない。そこで、ユーザーが好みに応じて操作手段と機能との関係をカスタマイズ可能なものが提案されている。上述した像振れ補正もまた、それをいずれのタイミングで開始させるかについてはユーザーによって好みが分かれるため、カスタムで選択可能な構成とすることが望ましい。
【０００４】
本発明の目的は、像振れ補正に対してユーザーの好みに応じたカスタム設定を選択可能な像振れ補正カメラを提供することにある。
【０００５】
【課題を解決するための手段】
請求項１の発明に係る撮影装置は、撮影光学系と、撮影光学系を含む装置の振れを検出する振れ検出手段と、振れ検出手段の検出結果に基づいて、撮影光学系の光軸を偏向することにより撮影光学系によって得られる撮影画像の振れを補正する振れ補正手段と、振れ補正とは異なる撮影準備動作を行う撮影準備手段と、撮影光学系を通過した光による記録媒体への露光を許可するレリーズスイッチと、レリーズスイッチの閉成に先立って閉成する第１撮影準備スイッチと、レリーズスイッチの動作とは無関係に作動し第１準備スイッチとは別に設けられ撮影準備手段を起動可能な第２撮影準備スイッチと、振れ補正手段の起動を第２撮影準備スイッチで行うか否かを設定するカスタム設定手段とを有し、これにより上記問題点を解決する。
請求項２の発明は、振れ補正手段の起動を第２撮影準備スイッチで行わないように設定されている場合は、振れ補正手段の起動を第１撮影準備スイッチまたはレリーズスイッチで行うようにしたものである。
請求項３の発明は、さらに撮影準備動作を前記第１および第２撮影準備スイッチの少なくともいずれか一方で行うか否かを切換可能に設定できるようにしたものである。
請求項４の発明は、振れ検出手段が第１および第２撮影準備スイッチのうち先に操作されたスイッチの操作に伴い起動するようにしたものである。
請求項５の発明は、レリーズスイッチおよび第２撮影準備スイッチと無関係に動作する第３撮影準備スイッチを更に備え、振れ補正手段の起動を、第２および第３撮影準備スイッチの少なくともいずれか一方で行うか否かを切換可能に設定するようにしたものである。
請求項６の発明は、撮影準備動作をオートフォーカス動作としたものである。請求項７の発明は、カスタム設定手段の設定内容を表示する表示手段を更に備えるものである。
請求項８の発明は、振れ検出手段が、第１〜第３撮影準備スイッチのうち最も先に操作されたスイッチの操作に伴い起動するようにしたものである。
【０００６】
【発明の実施の形態】
−第１の実施形態−
図１〜図４により本発明の第１の実施形態を説明する。
図１は本実施形態におけるカメラの制御系を示すブロック図である。像振れ補正装置は、撮影光軸と直交する方向に移動可能な振れ補正レンズ１と、この振れ補正レンズ１を駆動する振れ補正駆動部２と、角速度センサ３の出力に基づいて振れ補正レンズ１の駆動量を演算して振れ補正駆動部２に送る振れ補正駆動信号演算部４とから成る。
【０００７】
角速度センサ３は電源供給部５から電源が供給されると作動し、カメラの振動によるコリオリ力を利用して角速度を検出する。その検出結果は電圧値として出力され、増幅された後に振れ検出信号として振れ補正駆動信号演算部４に入力される。なお、図では角速度センサ３を１個のみ示したが、実際は互いに直交する２軸方向の角速度を検出するため角速度センサ３は２つ設けられる。
【０００８】
角速度センサ３の検出出力に基づく像振れ補正装置の基本動作を図２により説明する。なお、図２のうち２で始まる符号は振れ補正駆動部２の構成要素を、４で始まる符号は振れ補正駆動信号演算部４の構成要素をそれぞれ示している。
角速度センサ３からの振れ検出信号は基準値演算部４ａに入力され、基準値演算部４ａはその信号に基づいて振れの基準値を演算し、振れ検出信号から基準値を減算して積分部４ｂに送る。積分部４ｂは送られた信号を時間で積分して振れ角度信号に変換し、その振れ角度信号を目標駆動位置演算部４ｃに入力する。目標駆動位置演算部４ｃは、振れ角度信号にレンズの焦点距離などの情報を加味し、振れ補正レンズ１を駆動するための目標駆動位置信号を演算する。駆動信号演算部４ｄは、演算された目標駆動位置信号と振れ補正レンズ１の位置信号（後述する）との差を求め、目標駆動位置に振れ補正レンズ１を駆動するための駆動電流をコイル２ｃに流す。
【０００９】
コイル２ｃは、ヨーク２ａとマグネット２ｂにより形成される磁気回路内に置かれ、コイル２ｃに電流を流すとフレミングの左手の法則により駆動力が発生する。この力により振れ補正レンズ１が光軸と直交する方向に駆動され、その光軸が偏向される。振れ補正レンズ１の動きは、赤外線発光ダイオード（ＩＲＥＤ）２ｄと、スリット板２ｅと、ＰＳＤ（Ｐｏｓｉｔｉｏｎ　Ｓｅｎｓｉｔｉｖｅ　Ｄｅｖｉｃｅ）２ｇとにより構成される光学的位置検出装置によりモニタされる。ＩＲＥＤ２ｄからの光はスリット板２ｅのスリット２ｆを通過することで光線の幅を絞られ、ＰＳＤ２ｇに受光される。ＰＳＤ２ｇはその受光面上の受光位置に応じた信号を出力する。図示の如くスリット板２ｅは振れ補正レンズ１を保持する鏡筒４２に取り付けられているため、振れ補正レンズ１の動きがスリット２ｆの動きとなり、ＰＳＤ２ｇの受光面上の光の動きとなる。したがって、ＰＳＤ２ｇの受光面上の光の位置が振れ補正レンズ１の位置と等価となる。ＰＳＤ２ｇにより検出された信号は位置信号として駆動信号演算部４ｄにフィードバックされる。
以下、上述した角速度検出から補正レンズ駆動までの一連の動作を振れ補正動作と呼ぶ。
【００１０】
カメラ内には、像振れ補正装置の他にＡＦ制御部が設けられている。ＡＦ制御部は、光軸方向に移動可能なＡＦレンズ２１と、ＡＦレンズ２１を駆動するＡＦ駆動部２２と、ＡＦのための駆動信号を演算するＡＦ駆動信号演算部２３とから成る。ＡＦ駆動信号演算部２３は、焦点検出用の素子と、その素子の出力（焦点検出出力）に基づいてＡＦレンズ２１の駆動量および駆動方向を示す駆動信号を演算する演算部とからなり、演算された駆動信号はＡＦ駆動部２２に入力される。ＡＦ駆動部２２は、入力された駆動信号に基づいてＡＦレンズ２１を合焦位置に駆動する。
以下、焦点検出からＡＦレンズ駆動までの一連の動作をＡＦ動作と呼ぶ。
【００１１】
さらにカメラボディには、半押しタイマ３１およびカスタム設定部３２が設けられるとともに、操作部材として、不図示のレリーズボタンの半押し操作によってオンする半押しスイッチＳＷ１と、レリーズボタンの全押し操作によってオンする全押しスイッチＳＷ２と、ＡＦ動作あるいは振れ補正動作を指令するＡＦスタートスイッチＳＷ３と、カスタム設定を行う際に操作されるコマンドダイアル３３とが設けられている。なお、ＡＦスタートスイッチＳＷ３はカメラボディ側に設けられていてもよいし、レンズ鏡筒側に設けられていてもよい。
【００１２】
半押しタイマ３１は、半押しスイッチＳＷ１のオンでオン状態（計時状態）となり、半押しスイッチＳＷ１がオンの間はオンを保持し、半押しスイッチＳＷ１がオフされても予め決められた所定時間はオン状態を保持する。カメラは、半押しタイマ３１がオンの間は、不図示の測光部による測光演算を行う他、カスタム設定に応じてＡＦ動作や振れ補正動作を行う。なお、全押しスイッチＳＷ２がオンの間は半押しスイッチＳＷ１もオン状態を保持する。
【００１３】
ＡＦスタートスイッチＳＷ３は、所定の操作部材が操作されている間はオンし、操作を止めるとオフする。操作部材の操作のたびにオン・オフが切換わるよう構成してもよい。いずれの場合でもスイッチＳＷ３は半押しタイマ３１がオンのときにのみ機能する。
【００１４】
カスタム設定部３２は、コマンドダイアル３３の操作に応じて以下に示す４つのカスタム設定からいずれかを選択するとともに、その設定に応じた動作を行う。
【００１５】
（１）カスタム１
半押しタイマ３１がオンの間は、ＡＦ動作および振れ補正動作の双方を行う。この場合、ＡＦスタートスイッチＳＷ３は機能しない。このカスタム１は、最も少ない操作でＡＦ動作および振れ補正動作の双方が行えるので、ごく一般的なユーザーに適している。
【００１６】
（２）カスタム２
半押しタイマ３１がオンの間は振れ補正動作を行うが、ＡＦスタートスイッチＳＷ３がオンされない限りＡＦ動作は行わない。半押しタイマ３１がオンしている間にＡＦスタートスイッチＳＷ３がオンされると、そのオンの間はＡＦ動作を行う。このカスタム２は、フォーカスは予め一点に固定し、振れ補正動作のみを行って撮影を行う場合、例えば風景撮影や置きピン撮影を多用するユーザーに適している。
【００１７】
（３）カスタム３
半押しタイマ３１がオンの間はＡＦ動作を行うが、ＡＦスタートスイッチＳＷ３がオンされない限り振れ補正動作は行わない。半押しタイマ３１がオンしている間にＡＦスタートスイッチＳＷ３がオンされると、そのオンの間は振れ補正動作を行う。このカスタム３は、振れ補正を行わずにＡＦのみで撮影を行う場合、例えばスポーツシーンや流し撮りなどの動体の撮影に適している。また、振れ補正動作は重力に逆らって振れ補正レンズ１を駆動するため消費電力が大きく、半押しタイマの間中振れ補正動作を行うと電源電池の消耗が激しい。そこで、電源電池が残り少ないような場合もこの設定が有利である。
【００１８】
（４）カスタム４
半押しタイマ３１がオンで、かつＡＦスタートスイッチＳＷ３がオンの間はＡＦ動作および振れ補正動作の双方を行う。半押しタイマ３１のオンだけではＡＦ動作および振れ補正動作のいずれも行われない。このカスタム４も電源電池の節約を図る場合に適している。
【００１９】
選択されたカスタム設定は、所定の解除操作あるいは変更操作を行わない限りカメラの電源を落としても保持され、次回電源を投入したときもその設定が継続される。
【００２０】
このように本実施形態では、振れ補正動作とＡＦ動作に関する複数のカスタム設定からいずれかを選択可能としたので、ユーザーの好みや撮影用途あるいは電池残量等に応じて最適なカスタム設定を選択でき、以てカメラの使い勝手が向上する。またＡＦスタートスイッチＳＷ３を振れ補正動作開始用のスイッチとして兼用しているので、部品点数の低減が図れる。
【００２１】
ところで、上記いずれのカスタム設定が選択された場合でも角速度センサ３への電源供給、つまり振れ補正検出の開始は必ず半押しスイッチＳＷ１のオンに伴って行うことが望ましい。これは、角速度センサ３に電源が供給されている時間をなるべく長くして角速度センサ３のドリフトを小さくし、振れ補正精度を高めるためである。
【００２２】
図３，図４は上述したカスタム設定に応じた動作を実現するためのフローチャートを示す。
例えばカメラへの電源投入に伴ってカスタム設定部３２にてこのプログラムが起動され、図３のステップＳ１０で半押しスイッチＳＷ１のオン・オフを確認する。オンであれば半押しタイマ３１のオン・オフを確認し（ステップＳ２０）、半押しタイマ３１がオンであればステップＳ５０に進む。半押しタイマ３１がオフであれば、オフであれば半押しタイマ３１をオンし（ステップＳ３０）、角速度センサ３に電源を供給してこれをオンとする（ステップＳ４０）。これにより角速度センサ３による振れ検出が開始される。ステップＳ５０ではカスタム設定に応じた処理を行うが、その詳細は後述する。その後、ステップＳ６０で全押しスイッチＳＷ２のオンを確認すると、ミラーアップ，露光開始／終了，ミラーダウン，フィルム巻上げなどの一連の撮影動作を行い（ステップＳ７０）。撮影終了後にステップＳ１０に戻る。
【００２３】
一方、ステップＳ１０で半押しスイッチＳＷ１がオフと判定されると、ステップＳ８０で半押しタイマ３１のオン・オフを判定し、オンであればステップＳ５０に進む。半押しタイマ３１がオフであれば振れ補正レンズ１の駆動を停止し（ステップＳ９０）、振れ補正演算を停止し（ステップＳ１００）、角速度センサ３への給電を断ち（ステップＳ１１０）、次いでステップＳ１０に戻る。
【００２４】
図４はステップＳ５０の処理（カスタム設定に応じた処理）の詳細を示すフローチャートである。上記図３のフローから分かるように、この処理は半押しタイマ３１がオンしている間は繰り返し実行されるものである。
【００２５】
図４において、ステップＳ１００，Ｓ１３０，Ｓ１７０は、上述したカスタム１〜４のうちいずれが設定されているかを判定する処理である。これは、例えばコマンドダイアル３３の操作位置を検出することで判断できる。カスタム１と判定されると、オートフォーカス動作と振れ補正動作の双方を行う（ステップＳ１１０，Ｓ１２０）。カスタム２と判定されると、振れ補正動作を行う（ステップＳ１４０）とともに、ＡＦスタートスイッチＳＷ３のオン・オフを判定し（ステップＳ１５０）、オフであればＡＦ動作を行わずにリターンし、オンであればＡＦ動作を行って（ステップＳ１６０）リターンする。
【００２６】
カスタム３と判定されると、ＡＦ動作を行う（ステップＳ１８０）とともに、ＡＦスタートスイッチＳＷ３のオン・オフを判定し（ステップＳ１９０）、オフであれば振れ補正動作を行わずにリターンし、オンであれば振れ補正動作を行って（ステップＳ２００）リターンする。カスタム４と判定されると、ＡＦスタートスイッチＳＷ３のオン・オフを判定し（ステップＳ２１０）、オフであればＡＦ動作および振れ補正動作のいずれも行わずにリターンし、オンであればＡＦ動作および振れ補正動作の双方を行い（ステップＳ２２０，Ｓ２３０）、その後にリターンする。
【００２７】
なお、４つのカスタム設定を示したが、カスタム１，３，４のうち少なくとも２つを含む複数のカスタム設定からいずれかを選択するようにしてもよい。
【００２８】
以上の実施形態において、角速度センサ３が振れ検出手段を、振れ補正レンズ１，振れ補正駆動部２および振れ補正駆動信号演算部４が振れ補正手段を、ＡＦ駆動信号演算部２３およびＡＦ駆動部２２が撮影準備手段を、半押しスイッチＳＷ１が第１撮影準備スイッチを、ＡＦスタートスイッチＳＷ３が第２撮影準備スイッチを、カスタム設定部３２がカスタム設定手段をそれぞれ構成する。
【００２９】
−第２の実施形態−
第１の実施形態では半押しタイマがオフの状態ではＡＦスタートスイッチＳＷ３が機能しない例を示したが、本実施形態では、上述とは逆に半押しタイマがオフのときにのみＡＦスタートスイッチＳＷ３を機能させるようにした例を示す。カスタム設定部３２は、以下のカスタム設定からいずれかを選択する。
【００３０】
（１）カスタム１
半押しタイマ３１がオフのときにＡＦスタートスイッチＳＷ３がオンされると、そのオンの間はＡＦ動作および振れ補正動作の双方を行う。
【００３１】
（２）カスタム２
半押しタイマ３１がオフのときにＡＦスタートスイッチＳＷ３がオンされると、そのオンの間は振れ補正動作を行い、その後に半押しタイマ３１がオンになると（半押し操作されると）ＡＦ動作を行う。
【００３２】
（３）カスタム３
半押しタイマ３１がオフのときにＡＦスタートスイッチＳＷ３がオンされると、そのオンの間はＡＦ動作を行い、その後に半押しタイマ３１がオンになると振れ補正動作を行う。
【００３３】
（４）カスタム４
半押しタイマ３１がオフのときにＡＦスタートスイッチＳＷ３がオンされてもＡＦ動作および振れ補正動作のいずれも行わず、半押しタイマ３１がオンになるとＡＦ動作および振れ補正動作の双方を行う。
【００３４】
なお、４つのカスタム設定を示したが、カスタム１，２，４のうち少なくとも２つを含む複数のカスタム設定からいずれかを選択するようにしてもよい。
【００３５】
−第３の実施形態−
図５，図６は第３の実施形態を示し、図５は図１の構成にＶＲスタートスイッチＳＷ４（第３撮影準備スイッチ）を追加したものである。
また図６は上記図４に代わるフローチャートであり、図４と同様のステップには同一のステップ番号を付す。
本実施形態のカメラは、以下のカスタム設定が選択可能とされる。
【００３６】
（１）カスタム１
半押しタイマ３１がオンの間は、ＡＦ動作および振れ補正動作の双方を行う。この場合、ＡＦスタートスイッチＳＷ３およびＶＲスタートスイッチＳＷ４はいずれも機能しない（図６のステップＳ１１０〜Ｓ１２０）。
【００３７】
（２）カスタム２
半押しタイマ３１がオンの間は振れ補正動作を行うが、ＡＦスタートスイッチＳＷ３がオンされない限りＡＦ動作は行わない。半押しタイマ３１がオンしている間にＡＦスタートスイッチＳＷ３がオンされると、そのオンの間はＡＦ動作を行う（ステップＳ１４０〜Ｓ１６０）。この場合、ＶＲスタートスイッチＳＷ４は機能しない。
【００３８】
（３）カスタム３
半押しタイマ３１がオンの間はＡＦ動作を行うが、ＶＲスタートスイッチＳＷ４がオンされない限り振れ補正動作は行わない。半押しタイマ３１がオンしている間にＶＲスタートスイッチＳＷ４がオンされると、そのオンの間は振れ補正動作を行う（ステップＳ１８０，Ｓ２４０，Ｓ２００）。ＡＦスタートスイッチＳＷ３は機能しない。
【００３９】
（４）カスタム４
半押しタイマ３１がオンで、かつＡＦスタートスイッチＳＷ３がオンの間はＡＦ動作を行い、半押しタイマ３１がオンで、かつＶＲスタートスイッチＳＷ４がオンの間は振れ補正動作を行う（ステップＳ２１０，Ｓ２２０，Ｓ２５０，Ｓ２３０）。半押しタイマ３１のオンだけではＡＦ動作および振れ補正動作のいずれも行われない。
【００４０】
ここで、ＶＲスタートスイッチＳＷ４はカメラボディとレンズ鏡筒のいずれに設けてもよいが、ＡＦスタートスイッチＳＷ３とＶＲスタートスイッチＳＷ４のいずれか一方をカメラボディ側（右手で操作し易い位置）に設け、他方をレンズ鏡筒側（左手で操作し易い位置）に設けることで操作性の向上が図れる。
【００４１】
−第４の実施形態−
本実施形態は、半押しタイマのオン・オフに拘わらずＡＦスタートスイッチＳＷ３とＶＲスタートスイッチＳＷ４の双方を機能させるようにしたものである。カスタム設定部３２は、以下のカスタム設定からいずれかを選択する。
（１）カスタム１
半押しタイマ３１がオンの間はＡＦ動作および振れ補正動作の双方を行う。半押しタイマ３１のオン・オフに拘わらず、ＡＦスタートスイッチＳＷ３がオンの間はＡＦ動作を、ＶＲスタートスイッチＳＷ４がオンの間は振れ補正動作を行う。あるいはＡＦスタートスイッチＳＷ３およびＶＲスタートスイッチＳＷ４は機能させなくてもよい。
【００４２】
（２）カスタム２
半押しタイマ３１がオンの間は振れ補正動作を行う。半押しタイマ３１のオン・オフに拘わらず、ＡＦスタートスイッチＳＷ３およびＶＲスタートスイッチＳＷ４のいずれかがオンすると、そのオンの間はＡＦ動作を行う。
【００４３】
（３）カスタム３
半押しタイマ３１がオンの間はＡＦ動作を行う。半押しタイマ３１のオン・オフに拘わらず、ＡＦスタートスイッチＳＷ３およびＶＲスタートスイッチＳＷ４のいずれかがオンすると、そのオンの間は振れ補正動作を行う。
【００４４】
（４）カスタム４
半押しタイマ３１のオンのみではＡＦ動作および振れ補正動作のいずれも行わない。半押しタイマ３１のオン・オフに拘わらず、ＡＦスタートスイッチＳＷ３がオンの間はＡＦ動作を行い、ＶＲスタートスイッチＳＷ４がオンの間は振れ補正動作を行う。
【００４５】
なお、４つのカスタム設定を示したが、カスタム１〜４のうち少なくとも２つを含む複数のカスタム設定からいずれかを選択するようにしてもよい。
【００４６】
また以上の第１〜第４の実施形態において、全押しスイッチＳＷ２がオンされたとき（撮影開始操作がなされたとき）に、ＡＦ動作および振れ補正動作のうち非作動のものを作動させるようにしてもよい。例えば、第４の実施形態のカスタム３において、ＡＦスタートスイッチＳＷ３およびＶＲスタートスイッチＳＷ４のいずれも操作されずに全押しスイッチＳＷ２がオンされた場合、そのオン時点で行われていない振れ補正動作を行ってから撮影を行う。同様に第４の実施形態のカスタム４におては、ＡＦスタートスイッチＳＷ３およびＶＲスタートスイッチＳＷ４のいずれも操作されない場合には、全押しスイッチＳＷ２のオンでＡＦ動作と振れ補正動作の双方を行い、しかる後に撮影を行う。
【００４７】
なお、半押しタイマを持たないカメラでは、上記各カスタム設定における「半押しタイマのオン」を「半押しスイッチのオン」と置き換えることで対応可能である。また振れ補正動作以外の撮影準備動作をＡＦ動作とした例を示したが、その他の撮影準備動作でもよい。一例として、例えば所定操作に応じて露出値をロックするいわゆるＡＥロックが挙げられる。
【００４８】
【発明の効果】
本発明によれば、振れ補正手段の起動を、第１準備スイッチとは別の第２撮影準備スイッチで行うか否かを設定できるようにしたので、ユーザーの好みや撮影用途等に応じてカスタム設定を行え、以てカメラの使い勝手が向上する。
【図面の簡単な説明】
【図１】本発明の第１の実施形態における像振れ補正カメラの構成を示す図。
【図２】像振れ補正動作のメカニズムを説明する図。
【図３】カメラの動作を説明するフローチャート。
【図４】第１の実施形態のカスタム設定に応じた動作を説明するフローチャート。
【図５】第３の実施形態における像振れ補正カメラの構成を示す図。
【図６】第３の実施形態のカスタム設定に応じた動作を説明するフローチャート。
【符号の説明】
１　振れ補正レンズ
２　振れ補正駆動部
３　角速度センサ
４　振れ補正駆動信号演算部
２１　フォーカシング光学系
２２　ＡＦ駆動部
２３　ＡＦ駆動信号演算部
３１　半押しタイマ
３２　カスタム設定部
３３　コマンドダイアル
ＳＷ１　半押しスイッチ
ＳＷ２　全押しスイッチ
ＳＷ３　ＡＦスタートスイッチ
ＳＷ４　ＶＲスタートスイッチ
【図１】
2004085790.tif 000003
【図２】
2004085790.tif 000004
【図３】
2004085790.tif 000005
【図４】
2004085790.tif 000006
【図５】
2004085790.tif 000007
【図６】
2004085790.tif 000008